(57)【要約】【課題】薄型化された構造を有するバックライトユニットによって供給される光によって発生する暗部及び輝線の問題を改善すること。【解決手段】本発明の実施例によれは、バックライトユニットと液晶ディスプレイ装置に関するものとして、カバーボトムの外郭領域が傾斜した構造を有する場合、カバーボトムの底面と傾斜面の境界で段差構造を形成する反射部（例えば、反射シート）を配置することにより、カバーボトムの外郭領域と対応するパネルの下部に十分な光を均一に供給できるようにする。また、反射部の段差構造に光吸収パターンを適用することにより、反射部の段差構造から反射された光が特定領域に集中されて輝線で示される現象を改善し、カバーボトムの傾斜面及び傾斜面の内側と対応するパネル領域で、向上した輝度と光均一度を提供できるようにする。【選択図】図１
2019102458.tif 000002
【特許請求の範囲】
【請求項１】
底面と、前記底面の外郭に連結された一つ以上の傾斜面を含むカバーボトムと、
前記底面に配置された第１部分と、前記第１部分と連結されて前記第１部分と第１角を形成する第２部分と、前記第２部分と連結されて前記第２部分と第２角を形成する第３部分を含む反射部と、
前記反射部上で光を照射する一つ以上の光源と、を含むバックライトユニット。
【請求項２】
前記反射部は、
前記第１部分と前記第２部分との間に形成された前記第１角の大きさは、前記第２部分と前記第３部分との間に形成された前記第２角の大きさよりも小さい請求項１に記載のバックライトユニット。
【請求項３】
前記反射部は、
前記第１部分と前記第２部分は垂直で連結され、
前記第３部分の一端は前記第２部分と連結され、前記第３部分の他端は前記カバーボトムの前記傾斜面の外郭と会う請求項１に記載のバックライトユニット。
【請求項４】
前記反射部は、
前記第２部分と前記第３部分が連結される地点が前記底面よりも高く位置する請求項１に記載のバックライトユニット。
【請求項５】
前記反射部は、
前記第２部分と前記第３部分が連結される地点の高さが前記光源の高さよりも低い請求項１に記載のバックライトユニット。
【請求項６】
前記反射部は、
前記第２部分で前記光源から光が照射される部分のうち、少なくとも一部分に印刷された一つ以上の光吸収パターンを含む請求項１に記載のバックライトユニット。
【請求項７】
前記第２部分で前記一つ以上の光源のうち、最外側に位置した光源から第１直線距離が所定の距離以内である第１領域に印刷された第１光吸収パターンの密度または大きさは、前記最外側に位置した光源から第２直線距離が前記所定の距離以上である第２領域に印刷された第２光吸収パターンの密度または大きさよりも大きい請求項６に記載のバックライトユニット。
【請求項８】
パネルと、
前記パネルの下部に光を供給し、請求項１ないし請求項７のうちいずれか１つに応じるバックライトユニットを含むディスプレイ装置。
【発明の詳細な説明】
【技術分野】
【０００１】
本発明の実施例は、バックライトユニットとディスプレイ装置に関する。
【背景技術】
【０００２】
情報化社会が発展するにつれて、画像を表示するディスプレイ装置についての様々な要求が増加しており、液晶ディスプレイ装置（Ｌｉｑｕｉｄ  Ｃｒｙｓｔａｌ  Ｄｉｓｐｌａｙ  Ｄｅｖｉｃｅ）、プラズマディスプレイ装置（Ｐｌａｓｍａ  Ｄｉｓｐｌａｙ  Ｄｅｖｉｃｅ）、有機発光ディスプレイ装置（Ｏｒｇａｎｉｃ  Ｌｉｇｈｔ  Ｅｍｉｔｔｉｎｇ  Ｄｉｓｐｌａｙ  Ｄｅｖｉｃｅ）など、様々な類型のディスプレイ装置が活用されている。
【０００３】
これらのディスプレイ装置のうち液晶ディスプレイ装置は、ディスプレイパネルに液晶を配置して、液晶に加える電圧によって液晶の配列を変化させることにより、映像データに応じる明るさを表現する。ここで、液晶ディスプレイ装置は、ディスプレイパネルに配置された液晶に光を供給するバックライトユニット（Ｂａｃｋｌｉｇｈｔ  Ｕｎｉｔ）のような構造物を含み得る。
【０００４】
これらのバックライトユニットは、最近、ディスプレイ装置の薄型化に対する要求に応じて、その厚さが減少している。そして、バックライトユニットの厚さが減少するにつれて、拡散板と反射板との間の光学的ギャップが減少し、光学的ギャップの減少によってディスプレイパネルの特定領域に光が十分に供給されないという問題点が存在する。
【０００５】
また、ディスプレイ装置の外観についての様々な要求に応じて、薄型化されたバックライトユニットの外郭領域が傾斜した構造を含むこともあり、このような場合、特定領域に光が十分に供給されなかったり、特定領域に光が集中されて画面の明るさの均一度が低下する問題点が存在する。
【発明の概要】
【発明が解決しようとする課題】
【０００６】
本発明の実施例の目的は、薄型化された構造を有するバックライトユニットが供給する光が、ディスプレイパネルの特定領域に十分に供給されなくて発生する暗部を改善したバックライトユニットとディスプレイ装置を提供することにある。
【０００７】
本発明の実施例の目的は、薄型化されたバックライトユニットによって供給された光が、ディスプレイパネルの特定領域に集中されて発生する輝線を改善できるバックライトユニットとディスプレイ装置を提供することにある。
【課題を解決するための手段】
【０００８】
一側面において、本発明の実施例は、パネルと、パネルの下部に光を供給するバックライトユニットを含み、バックライトユニットは、底面及び底面の外郭に連結されて傾斜した一つ以上の傾斜面を含むカバーボトムと、底面に配置された第１部分、第１部分と連結されて第１部分と第１角を形成する第２部分、及び第２部分連結されて第２部分と第２角を形成する第３部分を含む反射部と、反射部上で光を照射する一つ以上の光源と、を含むディスプレイ装置を提供する。
【０００９】
他の側面において、本発明の実施例は、底面及び底面の外郭に連結されて傾斜した一つ以上の傾斜面を含むカバーボトムと、底面に配置された第１部分、第１部分と連結されて第１部分と第１角を形成する第２部分、及び第２部分と連結されて第２部分と第２角を形成する第３部分を含む反射部と、反射部上で光を照射する一つ以上の光源と、を含むバックライトユニットを提供する。
【００１０】
他の側面において、本発明の実施例は、外郭と隣接した領域のうち少なくとも一部領域が曲がったカバーボトムと、カバーボトム上に配置された反射部と、反射部上で光を照射する一つ以上の光源と、を含み、反射部は、カバーボトムが曲がり始める地点と対応する部分で１次折曲され、１次折曲された部分と反射部の外郭の間で２次折曲されたバックライトユニットを提供する。
【発明の効果】
【００１１】
本発明の実施例によると、薄型化されたバックライトユニットで、バックライトユニットの辺部に配置される反射部に折曲された構造を適用することにより、特定領域に光を十分に供給できず、暗さが示されることを改善し得る。
【００１２】
本発明の実施例によると、折曲された構造を有する反射部で、段差を形成する部分に一定の密度で光吸収パターンを配置することにより、特定領域に光が集中されて輝線が示されることを改善し得る。
【００１３】
本発明の実施例によると、薄型化されたバックライトユニットで、供給される光が特定領域に供給されないか、または集中される現象を改善することにより、均一な明るさを提供するバックライトユニットとディスプレイ装置を提供し得る。
【図面の簡単な説明】
【００１４】
【図１】本発明の実施例による液晶ディスプレイ装置の概略的な構成を示した図面である。
【図２】本発明の実施例による液晶ディスプレイ装置で、薄型化された構造を有するバックライトユニットの構造の例示を示した図面である。
【図３】本発明の実施例による液晶ディスプレイ装置で、薄型化された構造を有するバックライトユニットの構造の例示を示した図面である。
【図４】本発明の実施例によるバックライトユニットで、特定領域に光が均一に供給されない現象の例示を示した図面である。
【図５】本発明の実施例によるバックライトユニットで、特定領域に供給される光の均一度を改善した反射シート構造の例示を示した図面である。
【図６】本発明の実施例によるバックライトユニットで、特定領域に供給される光の均一度を改善した反射シート構造の例示を示した図面である。
【図７】本発明の実施例によるバックライトユニットと反射シート構造の他の例示を示した図面である。
【図８】本発明の実施例によるバックライトユニットで、特定領域に光が集中される現象の例示を示した図面である。
【図９】本発明の実施例によるバックライトユニットで、特定領域に集中される光を改善し得るように光吸収パターンが適用された反射シートの例示を示した図面である。
【図１０】図９に図示された反射シートに適用された光吸収パターンの例示を示した図面である。
【図１１】図９に図示された反射シートに適用された光吸収パターンの密度に応じたバックライトユニットの領域別明るさを測定した結果を示した図面である。
【図１２】図９に図示された反射シートに適用された光吸収パターンの密度に応じたバックライトユニットの画面の品位を測定した結果を示した図面である。
【発明を実施するための形態】
【００１５】
以下、本実施例の一部実施例を例示的な図面を参照して詳細に説明する。各図面の構成要素に参照符号を付け加えるにおいて、等しい構成要素に対しては、たとえ他の図面上に表示されても可能な限り等しい符号を有することができる。また、本実施例を説明するにおいて、関連される公知構成または機能に対する具体的な説明が本実施例の要旨を濁すことがあると判断される場合には、その詳細な説明は略することができる。
【００１６】
また、本実施例の構成要素を説明するにおいて、第１、第２、Ａ、Ｂ、（ａ）、（ｂ）などの用語を使用することができる。このような用語は、その構成要素を他の構成要素と区別するためのものであるだけで、その用語によって該当構成要素の本質、順番、順序または個数などが限定されない。ある構成要素が異なる構成要素に「連結」、「結合」または「接続」されると記載した場合、その構成要素は、その他の構成要素に直接的に連結されるか、または接続されることができるが、各構成要素の間に他の構成要素が「介在」されるか、または各構成要素が異なる構成要素を通じて「連結」、「結合」または「接続」されることもできると理解されるべきである。
【００１７】
図１は、本発明の実施例による液晶ディスプレイ装置１００の概略的な構成の例示を示したものである。
【００１８】
図１を参照すると、本発明の実施例による液晶ディスプレイ装置１００は、画像を表示するディスプレイパネル１１０と、ディスプレイパネル１１０に光を供給するバックライトユニット（Ｂａｃｋｌｉｇｈｔ  Ｕｎｉｔ）と、液晶ディスプレイ装置１００の各構成要素を締結するためのシャーシユニット（Ｃｈａｓｓｉｓ  Ｕｎｉｔ）などを含み得る。
【００１９】
ディスプレイパネル１１０は、薄膜トランジスター（Ｔｈｉｎ  Ｆｉｌｍ  Ｔｒａｎｓｉｓｔｏｒ）、各種信号ラインなどが配置された第１基板１１１と、カラーフィルター（Ｃｏｌｏｒ  Ｆｉｌｔｅｒ）が配置された第２基板１１２などを含み得る。
【００２０】
バックライトユニットは、ディスプレイパネル１１０の下部に配置され、ディスプレイパネル１１０に光を照射する光源（または光源装置、１３０）を含み得る。
【００２１】
これらの光源１３０は、バックライトユニットの類型によってディスプレイパネル１１０の側面に位置し得（エッジタイプ）、ディスプレイパネル１１０の下部に位置し得る（直下タイプ）。
【００２２】
図１は、バックライトユニットが直下タイプの場合を示したものとして、ディスプレイパネル１１０の下部に光源１３０または光源１３０とレンズなどで構成された光源装置が配置され得る。
【００２３】
バックライトユニットがエッジタイプの場合には、光源１３０がディスプレイパネル１１０の側面に配置され、光源１３０から出射された光をディスプレイパネル１１０にガイドする導光板（図示せず）をさらに含み得る。
【００２４】
バックライトユニットは、光源１３０の上部または導光板の上部に光を拡散させてくれる拡散シート（または拡散板、１２０）などのような少なくとも一つのシートを含み得る。そして、光源１３０または導光板の下部に光効率を高めるための反射シート（または反射板、１４０）などを含み得る。
【００２５】
これらの反射シート１４０は一つの例示として、バックライトユニットは、内部に光効率を高めるための反射部を含み得る。これらの反射部は、前述の例示のように、ＰＥＴ  ｂａｓｅの内部に空気層を入れて散乱を利用する反射シート１４０であることもあり、ＰＥＴやプラスチックあるいは金属表面にアノダイジング（Ａｎｏｄｉｚｉｎｇ）などの表面処理を通じて反射面を構成し得る。または、反射可能な金属面で反射部を構成し得る。
【００２６】
すなわち、バックライトユニットに構成される反射部は、反射部を構成する部材の内部に空気層を形成したり、外部に表面処理をしたり、または反射可能な部材を用いる方式など、様々な方式を通じて構成され、光源１３０から出射された光をディスプレイパネル１１０に向かって反射させることができる様々な形態で構成され得る。本明細書では、説明の便宜のために反射シート１４０を例示として説明するが、前述したように、バックライトユニット内に構成され得る様々な形態の反射部は、本発明の実施例に含まれ得る。
【００２７】
これらの反射シート１４０は、光源１３０から出射された光を反射させることにより、拡散シート１２０に到逹する光の量が増加するようにして光効率を高める。
【００２８】
シャーシユニットは、ディスプレイパネル１１０及びバックライトユニットなどの構成要素を締結するかまたは保護する役割ができ、ガイドパネル（図示せず）と、カバーボトム１５０などを含み得る。
【００２９】
これらのカバーボトム１５０は、液晶ディスプレイ装置１００の薄型化と見好い外観を提供するための要求に応じて、カバーボトム１５０の側面が傾斜した構造で形成され得る。または、カバーボトム１５０の側面が緩やかに曲がった構造で形成され得る。
【００３０】
図２と図３は、本発明の実施例による液晶ディスプレイ装置１００で、薄型化された構造を有するバックライトユニットとカバーボトム１５０構造の例示を示したものである。
【００３１】
図２を参照すると、本発明の実施例によるバックライトユニットのカバーボトム１５０は、光源１３０が配置される底面１５１と、底面１５１の外郭に連結され、傾斜した傾斜面１５２で構成され得る。 
【００３２】
カバーボトム１５０は、すべての側面が傾斜面１５２を形成することもあり、側面中の一部のみ傾斜面１５２を形成し得る。
【００３３】
カバーボトム１５０の傾斜面１５２は、カバーボトム１５０の外側に傾斜した構造を有することができ、３０°、４５°、６０°などのような様々な傾斜角で形成され得る。
【００３４】
カバーボトム１５０の側面を傾斜した構造で形成するによって、薄型化デザインが適用された液晶ディスプレイ装置１００の外観をより見事にしてくれることができる。
【００３５】
また、カバーボトム１５０が底面１５１と傾斜面１５２で構成されるによって、底面１５１の面積が減少して底面１５１に配置される光源１３０の数を減少させることができる利点を提供する。
【００３６】
したがって、側面が傾斜面１５２で構成されたカバーボトム１５０を含むバックライトユニットは、デザインと費用の側面で利点を提供することができるが、傾斜面１５２に対応するディスプレイパネル１１０領域に光が十分に供給されない問題点が存在する。
【００３７】
図３は、図２に図示されたバックライトユニットで、カバーボトム１５０の傾斜面１５２及び傾斜面１５２と隣接した部分を拡大して示したものである。
【００３８】
図３を参照すると、カバーボトム１５０は、底面１５１と、底面１５１に連結され、傾斜した傾斜面１５２で構成され得る。
【００３９】
そして、カバーボトム１５０の底面１５１と傾斜面１５２に反射シート１４０が配置され得、底面１５１上に一つ以上の光源１３０が位置し得る。また、カバーボトム１５０の外郭によって支持される拡散シート１２０がディスプレイパネル１１０の下部に配置され得る。
【００４０】
カバーボトム１５０が底面１５１と傾斜面１５２で構成されるによって、カバーボトム１５０に配置された多数の光源１３０のうち、最外側に配置された光源１３０と、カバーボトム１５０の外郭との間の距離が増加することになる。
【００４１】
したがって、光源１３０から出射された光が、カバーボトム１５０の外郭領域に到逹する量が減少することになり、ディスプレイパネル１１０でカバーボトム１５０の傾斜面１５２に対応する領域に光が十分に供給できないことがある。
【００４２】
また、傾斜面１５２に反射シート１４０を配置しても、傾斜面１５２上に入射される光量自体が少なく、傾斜面１５２に沿って配置された反射シート１４０によって反射された光が特定領域に集中されることもできる。
【００４３】
図４は、図３に図示されたバックライトユニットの構造で、カバーボトム１５０の傾斜面１５２に対応する領域に供給される光と、ディスプレイパネル１１０に示される明るさの例示を示したものである。
【００４４】
図４を参照すると、カバーボトム１５０の傾斜面１５２に対応する領域に光が十分に供給できないことによって、該当の領域は、ディスプレイパネル１１０で暗く示されることができる。
【００４５】
特に、カバーボトム１５０の底面１５１と傾斜面１５２の境界に隣接した部分と対応する領域で画面が暗く示されることができる。
【００４６】
そして、傾斜面１５２に配置された反射シート１４０によって反射された光が特定領域に集中されることができ、カバーボトム１５０の外郭部分に光が集中されて該当の領域はむしろ明るく示されることができる。
【００４７】
したがって、カバーボトム１５０の外郭部分が傾斜面１５２を含む構造で、傾斜面１５２と底面１５１の境界に対応する領域は、暗く示され、傾斜面１５２の外郭に対応する領域は、明るく示されることができる。そして、隣接した領域で一部は明るくて、一部は暗く示されるので、ディスプレイパネル１１０に示される明るさの均一度は、さらに低下されることができる。
【００４８】
本発明の実施例は、これらの薄型化された構造と傾斜した構造を有するバックライトユニットで、ディスプレイパネル１１０の外郭領域の下部に光を均一に供給できるようにするバックライトユニットと反射シート１４０の構造を提供する。
【００４９】
図５と図６は、本発明の実施例によるバックライトユニットで、カバーボトム１５０の傾斜面１５２に隣接した領域とその領域に配置される光源１３０、反射シート１４０構造の例示を示したものである。
【００５０】
図５を参照すると、本発明の実施例によるバックライトユニットで、カバーボトム１５０は、底面１５１と、底面１５１に連結され、傾斜した傾斜面１５２で構成される。
【００５１】
そして、底面１５１上に一つ以上の光源１３０が位置し得る。これらの光源１３０は、発光素子とレンズ１３２を含み得、発光素子は、一例として、エルイーディーパッケージ１３１であり得る。
【００５２】
拡散シート１２０は、カバーボトム１５０の外郭によって支持され、底面１５１上に位置した光源１３０と離隔して配置され得る。
【００５３】
ここで、カバーボトム１５０の上面と光源１３０との間に反射シート１４０が配置され得る。
【００５４】
これらの反射シート１４０は、カバーボトム１５０の底面１５１と傾斜面１５２の境界で折曲された構造を有することができ、折曲された構造を通じてカバーボトム１５０の底面１５１と傾斜面１５２の境界で段差構造を形成し得る。
【００５５】
一例として、反射シート１４０は、カバーボトム１５０の底面１５１に配置される第１部分１４１と、第１部分１４１に連結されて第１部分１４１と第１角θ１を形成する第２部分１４２と、第２部分１４２に連結されて第２部分１４２と第２角θ２を形成する第３部分１４３で構成され得る。
【００５６】
反射シート１４０の第１部分１４１は、カバーボトム１５０の底面１５１に配置され、第１部分１４１上に一つ以上の光源１３０が配置され得る。
【００５７】
反射シート１４０の第２部分１４２は、反射シート１４０の第１部分１４１と第１角θ１を形成し得、一例として、第１角θ１は、９０゜であり得る。
【００５８】
反射シート１４０の第３部分１４３は、一端が反射シート１４０の第２部分１４２と連結され、他端はカバーボトム１５０の傾斜面１５２の外郭と会うように配置され得る。
【００５９】
これらの反射シート１４０の第３部分１４３は、反射シート１４０の第２部分１４２と第２角θ２を形成し得、第２角θ２は、第１角θ１よりも大きくなることができる。
【００６０】
すなわち、反射シート１４０は、第１部分１４１と第２部分１４２が連結される部分で第１方向（例えば、時計方向）に折曲され、第２部分１４２と第３部分１４３が連結される部分で第１方向と反対方向である第２方向（例えば、反時計方向）に折曲されることができる。
【００６１】
したがって、反射シート１４０は、第２部分１４２がカバーボトム１５０の底面１５１と傾斜面１５２の境界で段差構造を形成し得、段差構造を形成する第２部分１４２によって傾斜面１５２に対応する領域に入射される光量を調節することができる。
【００６２】
また、底面１５１と傾斜面１５２の境界で、反射シート１４０の第２部分１４２と第３部分１４３が連結される部分が底面１５１よりも高く位置することになるため、反射シート１４０の第３部分１４３は、ディスプレイパネル１１０とより近く位置することになる。
【００６３】
反射シート１４０の第３部分１４３がディスプレイパネル１１０とより近く位置することによって、カバーボトム１５０の底面１５１と傾斜面１５２の境界に対応するディスプレイパネル１１０の領域に供給される光量を増加させることができる。
【００６４】
これらの反射シート１４０の段差構造を通じて、カバーボトム１５０の傾斜面１５２に対応するディスプレイパネル１１０の領域に供給される光の量と方向を調節することができる。したがって、底面１５１と傾斜面１５２の境界部分は、輝度が増加するようにし、傾斜面１５２の外郭部分は、輝度が減少するようにして全体的な明るさの均一度を向上させるようにする。
【００６５】
これらの反射シート１４０の段差構造を形成する第２部分１４２の垂直高さと、第１部分１４１、第３部分１４３とそれぞれ形成する第１角θ１、第２角θ２の大きさは、カバーボトム１５０の傾斜面１５２の傾斜角度に応じて最適の値に設定され得る。
【００６６】
また、反射シート１４０の収縮または膨張が発生できるため、反射シート１４０の第１部分１４１と第２部分１４２が形成する第１角θ１を８０°ないし１００゜の範囲で設計して、反射シート１４０の収縮や膨張が発生しても、第１角θ１が９０゜に近接した角度を維持するようにすることもできる。
【００６７】
ここで、反射シート１４０の段差構造を形成する第２部分１４２の垂直高さは、カバーボトム１５０の底面１５１に配置される光源１３０の最高点の高さに応じて決定され得る。
【００６８】
また、反射シート１４０上に配置された光源１３０が、薄型化されたバックライトユニットの構造に適した構造を有するレンズ１３２を含み得る。
【００６９】
図６を参照すると、カバーボトム１５０の底面１５１と傾斜面１５２に配置された反射シート１４０は、第１部分１４１、第２部分１４２及び第３部分１４３で構成され得る。
【００７０】
反射シート１４０は、第１部分１４１と第２部分１４２が連結される部分で１次折曲され、第２部分１４２と第３部分１４３が連結される部分で２次折曲される構造を通じて、第２部分１４２が段差構造を形成し得る。
【００７１】
そして、第２部分１４２の垂直高さｈ１は、反射シート１４０の第１部分１４１上に位置する光源１３０の最高点の高さｈ２よりも低いこともある。
【００７２】
すなわち、カバーボトム１５０の傾斜面１５２と対応する領域に入射される光量と反射光の方向を調節するために反射シート１４０の段差構造を形成することにおいて、段差の高さを光源１３０の最高点の高さよりも低くすることにより、該当の領域に入射される光量の減少を最小化し、傾斜面１５２と対応する領域でディスプレイパネル１１０の下部に供給される光の均一度を向上させるようにする。
【００７３】
また、薄型化されたバックライトユニットの構造で、光拡散性と光指向性を同時に提供できるレンズ１３２を含む光源１３０を配置して、傾斜面１５２に対応する領域に十分な量の光が供給されるようにすることもできる。
【００７４】
一例として、反射シート１４０の第１部分１４１上に位置する光源１３０は、エルイーディーパッケージ１３１と、レンズ１３２を含み得る。ここで、レンズ１３２は、外側面が凹形状を有する上層部１３２ａと、外側面が凸形状を有する下層部１３２ｂで構成され得る。
【００７５】
レンズ１３２の上層部１３２ａは、外側面が凹形状を有するため、上層部１３２ａを介して出射された光の指向性を増大させて、薄型化されたバックライトユニットの構造に適したように光が出射されるようにする。
【００７６】
そして、レンズ１３２の下層部１３２ｂは、外側面が凸形状を有するため、下層部１３２ｂを介して出射された光の拡散性を増大させる。したがって、指向性が大きなレンズ１３２を用いることにより、光源１３０から出射された光の輝度が低下されることを防止することができる。
【００７７】
このように、本発明の実施例は、薄型化されたバックライトユニットの構造で、反射シート１４０の段差構造と光源１３０のレンズ１３２構造などを通じて、カバーボトム１５０の傾斜面１５２に対応する領域に入射された光がディスプレイパネル１１０に均一に供給されることにする。
【００７８】
また、これらの反射シート１４０の段差構造は、カバーボトム１５０の外郭領域が折曲されて傾斜しないで緩やかに曲がった構造の場合にも適用され得る。
【００７９】
図７は、本発明の実施例によるバックライトユニットと反射シート１４０構造の他の例示を示したものである。
【００８０】
図７を参照すると、本発明の実施例によるバックライトユニットで、カバーボトム１５０は、外郭領域の少なくとも一部が緩やかに曲がった形態を有し得る。
【００８１】
そして、カバーボトム１５０上に折曲されて段差を形成する構造を有する反射シート１４０が配置され得る。反射シート１４０上には、光指向性と光拡散性を同時に提供するレンズ１３２を含む光源１３０が配置され得る。
【００８２】
反射シート１４０は、カバーボトム１５０が曲がり始める地点であるＢ支店で第１方向に１次折曲されることができる。そして、反射シート１４０の１次折曲された部分と反射シート１４０の外郭の間で、第１方向と反対方向である第２方向に２次折曲されることができる。すなわち、反射シート１４０は、２次折曲され、反射シート１４０の外郭がカバーボトム１５０の外郭であるＢ'地点と会うように配置され得る。
【００８３】
反射シート１４０の１次折曲された部分と２次折曲された部分との間に該当する部分は、カバーボトム１５０に垂直であり得る。
【００８４】
このような反射シート１４０の段差構造は、カバーボトム１５０の外郭領域に対応する領域に入射される光量を減少させて、ディスプレイパネル１１０の外郭部分に集中される光量を減少させることができる。
【００８５】
そして、反射シート１４０の２次折曲された部分と外郭の間に該当する部分で反射された光が、カバーボトム１５０が曲がり始めるＢ支店と対応するディスプレイパネル１１０の領域に十分に供給されるようにできる。
【００８６】
したがって、本発明の実施例による反射シート１４０の段差構造を適用する場合、カバーボトム１５０の外郭領域が折曲されたり、湾曲した構造を有してもカバーボトム１５０の外郭領域に対応するディスプレイパネル１１０の下部に光が均一に供給されることができる。
【００８７】
これを通じて、薄型化されたバックライトユニットを含む液晶ディスプレイ装置１００でディスプレイパネル１１０の外郭領域に示される輝線、暗部などを改善し、全体的な明るさの均一度を向上させるようにする。
【００８８】
一方、これらの反射シート１４０の段差構造は、ディスプレイパネル１１０の外郭領域で明るさの均一度を改善し得るが、段差構造によってカバーボトム１５０の傾斜面１５２の内側と対応する領域で輝線が示されるようにできる。
【００８９】
図８は、本発明の実施例によるバックライトユニットで、段差構造を有する反射シート１４０を適用した場合、特定領域に光が集中される現象の例示を示したものである。
【００９０】
図８を参照すると、バックライトユニットのカバーボトム１５０は、底面１５１と、傾斜した傾斜面１５２で構成される。
【００９１】
カバーボトム１５０上に２回折曲された構造を通じて段差構造を形成した反射シート１４０が配置され、底面１５１上に一つ以上の光源１３０が位置し得る。
【００９２】
反射シート１４０は、カバーボトム１５０の底面１５１上に配置された第１部分１４１と、段差構造を形成する第２部分１４２と、傾斜面１５２上に位置する第３部分１４３で構成され得る。
【００９３】
光源１３０から出射された光は、反射シート１４０の第１部分１４１、第２部分１４２、及び第３部分１４３で反射されてディスプレイパネル１１０の下部に供給されることができる。
【００９４】
ここで、反射シート１４０の第２部分１４２は、段差構造を形成してディスプレイパネル１１０の外郭領域に供給される光の均一度を改善し得る。しかし、第２部分１４２に入射された光が第１部分１４１に反射されてディスプレイパネル１１０に供給されることもできる。
【００９５】
すなわち、反射シート１４０の第２部分１４２で反射する光によって、カバーボトム１５０の傾斜面１５２の内側に対応するディスプレイパネル１１０領域に供給される光量が増加することができる。
【００９６】
したがって、反射シート１４０の段差構造を形成する第２部分１４２は、ディスプレイパネル１１０の外郭領域の明るさの均一度を改善し得るが、傾斜面１５２の内側に対応するディスプレイパネル１１０領域で輝線が示されるようにできる。
【００９７】
本発明の実施例は、反射シート１４０の段差構造を形成することにより、ディスプレイパネル１１０の外郭領域の明るさの均一度を改善しながら、同時にカバーボトム１５０の傾斜面１５２の内側に対応するディスプレイパネル１１０領域に輝線が示されることを防止できる反射シート１４０構造を提供する。
【００９８】
図９は、本発明の実施例によるバックライトユニットで、反射シート１４０の第２部分１４２に光吸収パターン２００が適用された構造の例示を示したものである。
【００９９】
図９を参照すると、本発明の実施例によるバックライトユニットでカバーボトム１５０は、底面１５１と傾斜面１５２で構成される。そして、カバーボトム１５０上に２回折曲された構造を通じて段差構造が形成された反射シート１４０が配置される。底面１５１上には、一つ以上の光源１３０が配置され得る。
【０１００】
反射シート１４０は、カバーボトム１５０の底面１５１に配置された第１部分１４１と、段差構造を形成する第２部分１４２と、傾斜面１５２上に位置する第３部分１４３で構成され得る。
【０１０１】
ここで、反射シート１４０の第２部分１４２には、光源１３０から出射された光が入射される面に、一つ以上の光吸収パターン２００が配置され得る。
【０１０２】
これらの光吸収パターン２００は、光源１３０から入射された光が反射しないようにし、一例として、一つ以上のブラックドットパターンが印刷されることができる。
【０１０３】
反射シート１４０の第２部分１４２に光吸収パターン２００が配置されるによって、第２部分１４２に入射された光の少なくとも一部が反射しないようにする。
【０１０４】
反射シート１４０の第２部分１４２で反射する光量を減少させることにより、第２部分１４２で反射した光が第１部分１４１を経てディスプレイパネル１１０の下部に供給される量を減少させることができる。
【０１０５】
したがって、カバーボトム１５０の傾斜面１５２の内側に対応するディスプレイパネル１１０の領域に光が集中されて、ディスプレイパネル１１０上に輝線で示されることを防止することにする。
【０１０６】
すなわち、本発明の実施例によると、カバーボトム１５０の底面１５１と傾斜面１５２の境界で段差構造を形成した反射シート１４０を介して、カバーボトム１５０の外郭領域に対応するディスプレイパネル１１０領域に光が均一に供給されることにする。
【０１０７】
そして、反射シート１４０に形成された段差構造で、光が入射される面には光吸収パターン２００を配置することにより、傾斜面１５２の内側と対応するディスプレイパネル１１０領域に光が集中されないことにする。
【０１０８】
したがって、カバーボトム１５０に配置された多数の光源１３０のうち、最外側に配置された光源１３０と、カバーボトム１５０の外郭の間に対応するディスプレイパネル１１０領域に十分な光が均一に供給されることにより、輝度及び光均一度が改善されたバックライトユニットと液晶ディスプレイ装置１００を提供することにする。
【０１０９】
これらの反射シート１４０の第２部分１４２に配置される光吸収パターン２００は、配置される位置によって密度や大きさが異なって配置され得る。
【０１１０】
図１０は、図９に図示された反射シート１４０に適用された光吸収パターン２００の例示を示したものである。
【０１１１】
図１０を参照すると、傾斜面１５２を含むカバーボトム１５０上に第１部分１４１、第２部分１４２、及び第３部分１４３で構成された反射シート１４０が配置され得る。そして、反射シート１４０の第１部分１４１上に一つ以上の光源１３０が配置され得る。
【０１１２】
反射シート１４０の第２部分１４２に、光源１３０から入射された光の反射量を減少させるための一つ以上の光吸収パターン２００が配置され得る。
【０１１３】
これらの第２部分１４２に配置された光吸収パターン２００の密度や大きさは、第２部分１４２と最も隣接して配置される光源１３０との直線距離によって異なる可能性がある。
【０１１４】
一例として、反射シート１４０の第２部分１４２は、多数の光源１３０のうち、最外側に配置された光源１３０と直線距離が一定の距離ｄ以下の第１領域（Ａｒｅａ１）と、ｄよりも長い第２領域（Ａｒｅａ２）に区分されることができる。
【０１１５】
ここで、第２部分１４２の第１領域（Ａｒｅａ１）に配置された光吸収パターン２００の密度は、第２領域（Ａｒｅａ２）に配置された光吸収パターン２００の密度よりも大きいことができる。
【０１１６】
または、第２部分１４２の第１領域（Ａｒｅａ１）に配置された光吸収パターン２００の大きさは、第２領域（Ａｒｅａ２）に配置された光吸収パターン２００の大きさよりも大きいことができる。
【０１１７】
すなわち、反射シート１４０の第２部分１４２で光源１３０と距離が近い領域には、光吸収パターン２００の密度や大きさを相対的に大きく設計することにより、第２部分１４２で反射してディスプレイパネル１１０の下部に伝達される光量を均一に調節することができる。
【０１１８】
図１１は、図９に図示された反射シート１４０に適用された光吸収パターン２００の密度に応じたバックライトユニットの領域別の明るさを測定した結果を示したものである。
【０１１９】
図１１を参照すると、反射シート１４０の第２部分１４２に配置された光吸収パターン２００の平均密度に応じて、バックライトユニットの辺部と、光源１３０と辺部との間の領域と、光源１３０の位置で測定された輝度を示す。
【０１２０】
ここで、辺部は、カバーボトム１５０の傾斜面１５２に対応する領域を意味する。そして、段差の前部は、底面１５１と傾斜面１５２の境界と最外側の光源１３０との間の領域を意味し、光源１３０は、底面１５１上に位置した光源１３０のうち最外側に位置する光源１３０を意味する。
【０１２１】
光吸収パターン２００の平均密度が０％の場合には、段差の前部で辺部と接した領域の輝度が周辺に比べて高く測定されることが分かる。
【０１２２】
すなわち、カバーボトム１５０の傾斜面１５２の内側と対応するディスプレイパネル１１０領域に輝線が示されることができる。
【０１２３】
光吸収パターン２００の平均密度を７％、１３％、２０％で増加させながら輝度を測定した結果、段差の前部で辺部に隣接した領域の輝度が徐々に減少することが分かる。
【０１２４】
そして、光吸収パターン２００の平均密度が２０％の場合、輝度が非常に減少されて、むしろ周辺と輝度差が発生することが分かり、光吸収パターン２００の平均密度が１３％の場合には、段差の前部で輝度が急激に変わらないことを確認することができる。
【０１２５】
このように、反射シート１４０の第２部分１４２に配置される光吸収パターン２００の密度（または大きさ）を調整することにより、カバーボトム１５０の傾斜面１５２の内側に対応するディスプレイパネル１１０領域に輝線が発生することを防止し、光均一度を改善することができる。
【０１２６】
図１２は、図９に図示された反射シート１４０に適用された光吸収パターン２００の密度に応じたバックライトユニットの画面の品位を測定した結果を示したものである。
【０１２７】
図１２を参照すると、反射シート１４０の第２部分１４２に光吸収パターン２００が配置されない場合（平均密度０％）、辺部に輝線が発生することになる。
【０１２８】
そして、反射シート１４０の第２部分１４２に光吸収パターン２００の平均密度が２０％になるように配置した場合、辺部で暗部が視認されることができる。
【０１２９】
光吸収パターン２００の平均密度が１３％になるように光吸収パターン２００を配置した場合、辺部で輝線が示されず、暗部も視認されないことを確認することができる。
【０１３０】
したがって、反射シート１４０の段差構造の適用に応じて発生できる辺部の輝線を改善し、均一な明るさを示すことにより、薄型化されたバックライトユニットとこれを含む液晶ディスプレイ装置１００で、光均一度及び輝度を向上させる。
【０１３１】
本発明の実施例は、薄型化された構造を有するバックライトユニットで、カバーボトム１５０の底面１５１と傾斜面１５２の境界で段差構造を形成した反射シート１４０を適用することにより、カバーボトム１５０の外郭領域での輝度の不均一を改善し得る。
【０１３２】
また、反射シート１４０の段差構造に一定の密度で光吸収パターン２００を配置することにより、段差構造で反射した光によって輝線が示されることを防止できるようにする。そして、これらの光吸収パターン２００をブラックドットパターンを印刷する方式で具現することにより、向上した輝度と光均一度を有するバックライトユニットを容易に提供できるようにする。
【０１３３】
以上の説明及び添付した図は、本発明の技術的思想を例示的に説明したことに過ぎないものであって、本発明が属する技術分野において通常の知識を有する者であれば、本発明の本質的な特性から外れない範囲で様々な修正及び変形が可能である。従って、本発明に開示された実施例は、本発明の技術思想を限定するためのものではなく、説明するためのものであって、このような実施例により本発明の技術思想の範囲が限定されるものではない。本発明の保護範囲は、特許請求の範囲により解釈されるべきであり、それと同等な範囲内にある全ての技術的思想は、本発明の権利範囲に含まれるものと解釈されるべきである。
【図１】
2019102458.tif 000003
【図２】
2019102458.tif 000004
【図３】
2019102458.tif 000005
【図４】
2019102458.tif 000006
【図５】
2019102458.tif 000007
【図６】
2019102458.tif 000008
【図７】
2019102458.tif 000009
【図８】
2019102458.tif 000010
【図９】
2019102458.tif 000011
【図１０】
2019102458.tif 000012
【図１１】
2019102458.tif 000013
【図１２】
2019102458.tif 000014